(57)【要約】【課題】コンパクトに収納できる電動調理器を提供する。【解決手段】電動機４を内蔵した本体２と、本体２に着脱自在に嵌合載置される円筒形状の容器１と、容器１内にカッター台３を介して取り付けられたカッター７とで構成され、本体２内の電動機４を駆動することにより電動機４とカップリング６を介して連動するカッター７を回転させ、容器１内の材料を切削する電動調理器において、前記本体２上に容器１に変えて付属ミル部１１を嵌合載置させ、この付属ミル部１１のミル容器８内のミルカッター１０を回転させることにより少量の材料を切削可能となし、さらに、使用後収納時には付属ミル部１１を本体２上に載置した状態で、前記容器１を逆さまにして付属ミル部１１を覆い、かつ本体２上部を被覆可能とした電動調理器。【選択図】  図３
2004290432.tif 000002
【特許請求の範囲】
【請求項１】
電動機（４）を内蔵した本体（２）と、本体（２）に着脱自在に嵌合載置される円筒形状の容器（１）と、容器（１）内にカッター台（３）を介して取り付けられたカッター（７）とで構成され、本体（２）内の電動機（４）を駆動することにより電動機（４）とカップリング（６）を介して連動するカッター（７）を回転させ、容器（１）内の材料を切削する電動調理器において、前記本体（２）上に容器（１）に変えて付属ミル部（１１）を嵌合載置させ、この付属ミル部（１１）のミル容器（８）内のミルカッター（１０）を回転させることにより少量の材料を切削可能となし、さらに、使用後収納時には付属ミル部（１１）を本体（２）上に載置した状態で、前記容器（１）を逆さまにして付属ミル部（１１）を覆い、かつ本体（２）上部を被覆可能としたことを特徴とする電動調理器。
【請求項２】
容器（１）内に突出させ形成した複数のリブ（１ａ）部の内径は、付属ミル部（１１）の最外径よりも大としたことを特徴とする請求項１記載の電動調理器。
【請求項３】
付属ミル部（１１）のミル容器（８）の上側に半球状の突出部（８ａ）を設け、かつ前記容器（１）のカッター（７）は収納時に突出部（８ａ）と接触しないように突出部（８ａ）を避けた形状としたことを特徴とする請求項１記載の電動調理器。
【発明の詳細な説明】
【０００１】
【発明の属する技術分野】
本発明は、一般家庭用のミキサーなどの電動調理器に関するものである。
【０００２】
【従来の技術】
従来のこの種の電動調理器では一般的に、図４のように、ミキサーあるいはミルを使用する場合には、器械を２台揃えるか、又は、本体１３一つにミキサー用容器１４あるいはミル用容器１５を適宜取り替えて使用していた。従って、使用後には、本体１３、ミキサー用容器１４、ミル用容器１５と別々に収納スペースが必要であり、ミキサー用容器１４を本体１３の上に載せ収納したとしても、背が高くなってしまい食器棚等には収納できず、また、ミル用容器１５を載せたとしても、全体の背は低くなるも、ミキサー用容器１４部を別に収納する必要があり、置き場所に困るという問題があった。
【０００３】
この問題点を解消するために、収納時は、ミキサー調理体（ミキサー用容器）を上下反転させて本体の段部に載置し、その上にフタを被せて、全体の高さを低くすることにより大きな収納スペースを必要としない調理器が提案されている。
（例えば実公昭５８−１６３６４号公報）
【特許文献１】「実公昭５８−１６３６４号公報」。
【０００４】
【発明が解決しようとする課題】
前記従来例の構成では、収納形態が大きく、どこにでも収納可能とはならないものであった。また、後者の実公昭５８−１６３６４号公報のものでは、ある程度収納時の高さは低くなるものの、上下反転した容器を筒状の本体途中に設けた段部に載置しているので容器と本体部の重なる部分が少なく中途半端な高さとなっていた。
【０００５】
また、ミル用容器については、やはり別途収納の必要があった。
【０００６】
【課題を解決するための手段】
上記課題を解決するために本発明は、使用後収納時には付属ミル部を本体上に載置した状態で、ミキサー用の容器を逆さまにして付属ミル部を覆い、かつ本体上部の筒状部の略全体を被覆可能とした電動調理器としたものである。
【０００７】
本発明はこのような構成としたことにより、ミキサー機能を使用後にコンパクトに収納出来るばかりでなく、ミル機能を使用後にも、ミキサー用容器と本体の間に、付属ミル部が収納できるため、より収納面で優れた構成とすることができるものである。
【０００８】
これにより高さ方向ばかりでなく、置き場所のスペースもコンパクトになり、いつでも取り出せる台所の棚などに簡単に収納でき、すぐに使用したい時などに容易に取り出すことができ、収納性の面あるいは使い勝手の面で更に優れたミル付きミキサーとすることができるものである。
【０００９】
【発明の実施の形態】
本発明は、電動機を内蔵した本体と、本体に着脱自在に嵌合載置される円筒形状のミキサー用の容器と、容器内にカッター台を介して取り付けられたカッターとで構成され、本体内の電動機を駆動することにより電動機とカップリングを介して連動するカッターを回転させ、容器内の材料を切削する電動調理器において、前記本体上にミキサー用の容器に変えて付属ミル部を嵌合載置させ、この付属ミル部のミル容器内のミルカッターを回転させることにより少量の材料を切削可能となし、さらに、使用後収納時には付属ミル部を本体上に載置した状態で、前記容器を逆さまにして付属ミル部を覆い、かつ本体上部を被覆可能とした電動調理器としたものである。
【００１０】
また、容器内に突出させ形成した複数のリブ部の内径は、付属ミル部の最外径よりも大としたものである。
【００１１】
さらに、付属ミル部のミル容器の上端に、収納時のミキサー用のカッターを避けるためとミル部使用時の容積を確保するために、上側に半球状の突出部を設けたものである。
【００１２】
【実施例】
以下本発明の一実施例を図面に基づいて詳細に説明する。図１は本発明の一実施例によるミキサー機能使用時の電動調理器の断面図である。図２は同じくミル機能使用時の断面図であり、図３は同じく収納時の電動調理器の全体断面図である。
【００１３】
図において、１はミキサー用の容器であり、円筒形状のガラスコップにより形成され、撹拌を効率よくするために内壁部に突条に形成された複数のリブ１ａが設けられている。また、容器１下部には着脱自在にカッター台３がねじ込み式にて設けられ、このカッター台３にはカッター７が固定されている。１２は容器１の上部開口部を覆う蓋である。２は本体であり、この本体２は下側の略平坦な下台部２ａと上方の筒状の上筒部２ｂとで形成され、内部には電動機４が設けられ、外部には電動機４を駆動するためのスイッチ５が設けられている。
【００１４】
６はカップリングであり、本体側の電動機４と連結したカップリング下６ａと、容器１に固定されたカッター台３のカッター７と連結したカップリング上６ｂとでなり、容器１を本体２に嵌合させ、載置したときにカップリング下６ａと、カップリング上６ｂとが噛み合い連結するものである。
【００１５】
本体２内部の電動機４が、本体２に設けてあるスイッチ５を操作することにより通電され回転すると、電動機４ならびに接続するカップリング６が回転し、カッター台３の中央部に回転自在に設けられた材料切断用のカッター７が回転し、容器１内の材料が撹拌切削され液体状のドリンク類を作る。
【００１６】
１１は付属ミル部であり、ミル容器８、ミルベース９、ミルカッター１０により構成されている。ミル容器８は頭部を半円球状に突出させた突出部８ａと、その下半部を円筒形に形成し、ガラスコップにより形成したものである。ミルベース９は、ミル容器８をネジ構造により嵌合し、中央部には、ミルカッター１０と、ミルカッター１０と連結したカップリング上６ｂが設けてある。
【００１７】
このような構成で、付属ミル部１１を本体２の上筒部２ｂに嵌合載置すると本体２側のカップリング下６ａとミル容器８側のカップリング上６ｂとが嵌合し連結する。この状態で前記した本体２内部の電動機４がスイッチ５を押すことにより通電され回転すると、電動機４ならびに接続するカップリング６が回転し、ミルカッター１０も回転し、ミル容器８内の乾物や少量の材料が、粉砕又は撹拌切削され、粉末又は少量の液体状のドリンク類を作るものである。
【００１８】
この構造において、使用後の収納時には、容器１を逆さまにして、本体２の上筒部２ｂに被せコンパクトに収納可能となる。この収納時には、本体２に付属ミル部１１を載せた状態でも、容器１を本体２に被せることが出来るように、ミル容器８の形状は、ミキサー部のカッター７を避けたような、半球形状となっている。また、ミル容器８の円筒形状部分とミルベース９の円筒形状の外周も、容器１の複数（４本）のリブ１ａ部の内径よりも、小さな径として、容器１が逆さまになって本体２の上筒部２ｂに被さる時に、邪魔にならないような構成としたものである。
【００１９】
次に、本実施例の作用について説明する。
【００２０】
まず、ミキサー機能として使用する時には、円筒形の容器１内に、調理用材料及び液体類を投入し、容器１の上部の蓋１２を被せる。次に、蓋１２を被せた容器１を本体２の上筒部２ｂ上に乗せカップリング下６ａと、カップリング上６ｂとを嵌合させカップリング６を連結させる。電源コードを差し込み、スイッチ５を押すと、電動機４への通電がなされ、カップリング６を介して、カッター７が回転する。カッター７の回転により、食材は回転しながら切削され、約１分後には容器１内の材料が細かく砕かれ、水分とともに液体状になる。
【００２１】
また、ミル機能として使用する時には、逆さまにしたミル容器８内に、材料又は少量の液体類を投入し、その上にミルカッター１０の内蔵したミルベース９を被せ、ネジ構造を嵌合させ、再び、逆さまにして本体２の上筒部２ｂ上に載せ、前記したミキサー時と同様にカップリング６を連結させる。次に、電源コードを差し込み、スイッチ５を押すと、電動機４への通電がなされ、カップリング６を介して、ミルカッター１０が回転する。ミルカッター１０の回転により、材料は回転しながら切削され、約１分後にはミル容器８内の材料が細かく砕かれ、乾物は粉状に、また、少量の液体分は中の材料が粉砕されドリンクとなる。
【００２２】
この構造において、使用後に、収納するには、まず初めに、洗浄したミル容器８にミルベース９をネジ嵌合させ、逆さまにして、本体に嵌合させて搭載し、その外側から、ミキサー部の容器１とカッター台３を嵌合した物を載せることによって、ミル部分をミキサー部の容器１内に納めた形で、よりコンパクトに収納することができるものである。
【００２３】
【発明の効果】
以上、本発明はこのような構成としたことにより、ミキサー機能を使用後にコンパクトに収納できるばかりでなく、ミル機能を使用後にも、ガラスコップと本体の間に、ミル部分が収納できるため、より収納面で優れた構成とすることができるものである。
【００２４】
また、高さ方向ばかりでなく、置き場所のスペースもコンパクトにでき、いつでも取り出せる台所の棚等に簡単に収納でき、すぐに使用したい時などに、容易に取り出すことができるなど、収納性の面あるいは使い勝手の面でも大変優れたミル付きミキサーとすることができるものであり、きわめて大きな効果が期待できるものである。
【図面の簡単な説明】
【図１】本発明の一実施例を示す電動調理器のミキサー機能使用時の断面図である。
【図２】同じくミル機能使用時の断面図である。
【図３】同じく収納時の断面図である。
【図４】従来例を示す電動調理器の全体断面図であり、（ａ）はミキサー機能使用時、（ｂ）はミル機能使用時である。
【符号の説明】
１：容器
１ａ：リブ
２：本体
２ｂ：上筒部
３：カッター台
４：電動機
５：スイッチ
６：カップリング
７：カッター
８：ミル容器
８ａ：突出部
９：ミルベース
１０：ミルカッター
１１：付属ミル部
【図１】
2004290432.tif 000003
【図２】
2004290432.tif 000004
【図３】
2004290432.tif 000005
【図４】
2004290432.tif 000006